(57)【要約】【課題】主表示領域と複数の副表示領域とを利用して、より有用な表示を行うことが可能な画像表示装置およびそれに関連する技術を提供する。【解決手段】撮像装置１の背面モニタ１２は、主表示領域ＭＲと複数の副表示領域ＳＲ１〜ＳＲ３とを有する。表示制御部２２は、所定条件の充足に応じて表示レイアウトを変更し、主表示領域ＭＲにおける画像Ｐ２の表示方向を決定する。また表示制御部２２は、背面モニタ１２における表示内容を制御することにより、表示レイアウトに基づき複数の副表示領域ＳＲ１〜ＳＲ３に複数の画像を表示するとともに、複数の副表示領域ＳＲ１〜ＳＲ３のうちの一の副表示領域（例えばＳＲ２）に表示される画像Ｐ２を、その大きさを略同一に維持したまま、表示レイアウトに基づく表示方向で主表示領域ＭＲにも表示させる。【選択図】図７
2014041368.tif 000002
【特許請求の範囲】
【請求項１】
表示部に対して、主表示領域に主画像を、前記主表示領域よりも小さい副表示領域に少なくとも前記主画像を含む画像を、それぞれ表示させる表示制御部と、
前記主表示領域における前記主画像の表示方向を決定する指示に基づき、前記主画像の表示レイアウトを設定するレイアウト設定部と
を有し、
前記表示制御部は、前記主画像を、前記主表示領域及び前記副表示領域に前記表示レイアウトに基づく表示方向で表示させるとともに、前記主画像を、当該表示方向に拘わらず略同一の大きさで表示させる
表示制御装置。
【請求項２】
前記レイアウト設定部は、
前記表示方向が横長方向であれば、前記主表示領域の上又は下に複数の前記副表示領域を配置したレイアウトに設定し、前記表示方向が縦長方向であれば、前記主表示領域の左又は右に複数の前記副表示領域を配置したレイアウトに設定する
請求項１に記載の表示制御装置。
【請求項３】
前記レイアウト設定部は、
前記副表示領域における前記主画像の表示方向を前記主表示領域における前記主画像の表示方向と一致させるよう、前記表示レイアウトを設定する
請求項１に記載の表示制御装置。
【請求項４】
ユーザの操作を受け付ける操作部
をさらに有し、
前記レイアウト設定部は、
前記操作部に対する操作により決定された前記表示方向の指示に基づき、前記表示レイアウトを設定する
請求項１に記載の画像表示装置。
【請求項５】
前記表示制御部は、
前記操作部により前記主画像の表示方向を回転させる操作を受け付けた場合、前記副表示領域に前記主画像を回転前の表示方向で表示させる
請求項４に記載の画像表示装置。
【請求項６】
前記レイアウト設定部は、
前記主画像の撮影情報に基づいて前記表示方向を決定し、当該決定された表示方向に基づいて前記主画像の表示レイアウトを設定する
請求項１に記載の画像表示装置。
【請求項７】
表示部の主表示領域に表示すべき主画像の表示方向を決定する指示に基づき、前記主画像の表示レイアウトを設定するレイアウト設定ステップと、
前記表示部に対して、前記主表示領域に前記主画像を前記表示レイアウトに基づく表示方向により、当該表示方向に拘わらず略同一の大きさで表示させると共に、前記主表示領域よりも小さい副表示領域に、少なくとも前記主画像を含む画像を前記表示レイアウトに基づく表示方向で表示させるとともに、前記主画像を、当該表示方向に拘わらず略同一の大きさで表示させる
を有する表示制御方法。
【発明の詳細な説明】
【技術分野】
【０００１】
本発明は、画像を表示させる表示制御装置およびそれに関連する技術に関する。
【背景技術】
【０００２】
画像表示装置の中には、主画面と副画面とを有する表示部に複数の画像を表示するものが存在する。
【０００３】
例えば、特許文献１においては、複数の副画面に複数の画像が表示されており、当該複数の画像の中から選択された画像が、或る副画面から主画面へと徐々に移動するように表示されることが示されている。
【先行技術文献】
【特許文献】
【０００４】
【特許文献１】特開２０００−１８１４２７号公報
【発明の概要】
【発明が解決しようとする課題】
【０００５】
上記の技術は、或る画像を一の副画面（副表示領域とも称する）から主画面（主表示領域とも称する）へと移動させる際の表示技術に関するものであり、それ以外の用途に関するものではない。主画面と副画面との利用手法には、改善の余地がある。
【０００６】
そこで、この発明の課題は、主表示領域と複数の副表示領域とを利用して、より有用な表示を行うことが可能な表示制御装置およびそれに関連する技術を提供することにある。
【課題を解決するための手段】
【０００７】
かかる課題を解決するため本発明の表示制御装置は、表示部に対して、主表示領域に主画像を、主表示領域よりも小さい副表示領域に少なくとも主画像を含む画像を、それぞれ表示させる表示制御部と、主表示領域における主画像の表示方向を決定する指示に基づき、主画像の表示レイアウトを設定するレイアウト設定部とを設け、表示制御部は、主画像を、主表示領域及び副表示領域に表示レイアウトに基づく表示方向で表示させるとともに、主画像を、当該表示方向に拘わらず略同一の大きさで表示させるようにした。
これにより本発明は、表示部表示範囲の内における主表示領域及び副表示領域の位置及び大きさを含めたレイアウトを、主画像の表示方向に合わせた適切なレイアウトに設定して、主画像を見やすい方向に合わせつつ各画像を極力大きく表示させることができる。
【０００８】
また本発明の表示制御方法は、表示部の主表示領域に表示すべき主画像の表示方向を決定する指示に基づき、主画像の表示レイアウトを設定するレイアウト設定ステップと、表示部に対して、主表示領域に主画像を表示レイアウトに基づく表示方向により、当該表示方向に拘わらず略同一の大きさで表示させると共に、主表示領域よりも小さい副表示領域に、少なくとも主画像を含む画像を表示レイアウトに基づく表示方向で表示させるとともに、主画像を、当該表示方向に拘わらず略同一の大きさで表示させる表示制御ステップとを設けるようにした。
これにより本発明は、表示部の表示範囲内における主表示領域及び副表示領域の位置及び大きさを含めたレイアウトを、主画像の表示方向に合わせた適切なレイアウトに設定して、主画像を見やすい方向に合わせつつ各画像を極力大きく表示させることができる。
【発明の効果】
【０００９】
本発明によれば、表示部の表示範囲内における主表示領域及び副表示領域の位置及び大きさを含めたレイアウトを、主画像の表示方向に合わせた適切なレイアウトに設定し、主画像を見やすい方向に合わせつつ各画像を極力大きく表示させることができるので、主表示領域において所定の画像を見易く表示することができる。
【図面の簡単な説明】
【００１０】
【図１】撮像装置の正面外観図である。
【図２】撮像装置の背面外観図である。
【図３】撮像装置の機能構成を示すブロック図である。
【図４】方向選択キーの拡大図である。
【図５】背面モニタにおける画像再生画面を示す図である。
【図６】メニュー画面を示す図である。
【図７】回転処理後の再生画面を示す図である。
【図８】比較例に係る再生画面を示す図である。
【図９】変形例に係る再生画面を示す図である。
【図１０】変形例に係る再生画面を示す図である。
【図１１】変形例に係る再生画面を示す図である。
【図１２】変形例に係る再生画面を示す図である。
【発明を実施するための形態】
【００１１】
以下、本発明の実施形態を図面に基づいて説明する。
【００１２】
＜１．構成＞
図１および図２は、本発明に係る撮像装置１の外観構成を示す図である。ここで、図１は、撮像装置１の正面外観図であり、図２は、撮像装置１の背面外観図である。この撮像装置１は、レンズ交換式一眼レフレックスタイプのデジタルカメラとして構成されている。なお、撮像装置１は、背面モニタ１２（後述）に画像を表示する画像表示装置としても機能する。
【００１３】
図１に示すように、撮像装置１は、カメラ本体部（カメラボディ）２を備えている。このカメラ本体部２に対して、交換式の撮影レンズユニット（交換レンズ）３が着脱可能である。
【００１４】
また、カメラ本体部２は、その正面左上部にモード設定ダイヤル８２を備え、その正面右上部に制御値設定ダイヤル８６を備えている。モード設定ダイヤル８２を操作することによれば、カメラの各種モード（各種撮影モード（人物撮影モード、風景撮影モード、およびフルオート撮影モード等）、撮影した画像を再生する再生モード、および外部機器との間でデータ交信を行う通信モード等を含む）の設定動作（切替動作）を行うことが可能である。また、制御値設定ダイヤル８６を操作することによれば、各種撮影モードにおける制御値を設定することが可能である。
【００１５】
また、カメラ本体部２は、正面左端部に撮影者が把持するためのグリップ部１４を備えている。グリップ部１４の上面には露光開始を指示するためのレリーズボタン１１が設けられている。グリップ部１４の内部には電池収納室とカード収納室とが設けられている。電池収納室にはカメラの電源として、例えばリチウムイオン電池が収納されており、カード収納室には撮影画像の画像データを記録するためのメモリカード９０（図３参照）が着脱可能に収納される。
【００１６】
図２において、カメラ本体部２の背面の略中央には、背面モニタ１２が設けられている。背面モニタ１２は、例えばカラー液晶ディスプレイ（ＬＣＤ）として構成される。背面モニタ１２は、各種のメニュー画面を表示すること、および、再生モードにおいてメモリカード９０（記録媒体）に記録された撮影画像を再生表示することなどが可能である。
【００１７】
背面モニタ１２の左上部にはメインスイッチ８１が設けられている。メインスイッチ８１は２点スライドスイッチからなり、接点を左方の「ＯＦＦ」位置に設定すると、電源がオフになり、接点の右方の「ＯＮ」位置に設定すると、電源がオンになる。
【００１８】
背面モニタ１２の右側には方向選択キー８４（図４も参照）が設けられている。この方向選択キー８４は、上ボタン８４Ｕと下ボタン８４Ｄと左ボタン８４Ｌと右ボタン８４Ｒとを有しており、上下左右の４方向の押圧操作を検出できるように構成されている。また、方向選択キー８４は、中央ボタン８４Ｃを有しており、上記４方向の押圧操作とは別に、中央部における押圧操作も検出できる。
【００１９】
背面モニタ１２の左側には、メニュー画面の設定、画像の削除などを行うための複数のボタンからなる設定ボタン群８３が設けられている。設定ボタン群８３には、メニューボタン８３Ａおよびシフトボタン８３Ｄが含まれている。
【００２０】
＜２．機能ブロック＞
つぎに、撮像装置１の機能の概要について説明する。
【００２１】
撮像装置１は、撮像素子（ＣＣＤ等）を備えており、光電変換作用により撮影光学系からの被写体の光像（被写体像）を電気的信号に変換して、本撮影画像に係る画像信号（記録用の画像信号）を生成する。
【００２２】
本撮影画像に係る画像データは、適宜の画像処理（圧縮処理等を含む）が施された後、メモリカード９０に記憶される。
【００２３】
また、メモリカード９０内に格納されている画像データは撮像装置１内に読み出され、当該画像データに基づく画像が背面モニタ１２に表示される。すなわち、撮像装置１の背面モニタ１２においては、撮影済みの本撮影画像を再生する再生表示が実現される。
【００２４】
以下では、撮像装置１の再生機能を中心に説明する。
【００２５】
図３の機能ブロック図に示すように、撮像装置１は、読出部２１、表示制御部２２、背面モニタ１２（表示部）、変更制御部３０、および画像メモリ５６等を備える。
【００２６】
読出部２１は、メモリカード９０内の画像データを撮像装置１の画像メモリ５６上へと読み出す処理を制御する。
【００２７】
表示制御部２２は、画像メモリ５６に格納された画像データに基づく画像を背面モニタ１２に表示する表示動作を制御する。この表示制御部２２は、背面モニタ１２における表示内容を制御して、互いに異なる複数の画像を複数の副表示領域ＳＲ（ＳＲ１〜ＳＲ３）（図５参照）に表示するとともに、複数の副表示領域ＳＲ１〜ＳＲ３のうちの一の副表示領域ＳＲ２に表示される画像Ｐ２を主表示領域ＭＲにも表示する。また、表示制御部２２は、所定の変更が施された状態の画像Ｐ２を一の副表示領域ＳＲ２と主表示領域ＭＲとの双方に表示するように、背面モニタ１２に表示内容を制御する。表示制御部２２は、背面モニタ１２における表示レイアウトの変更動作をも制御する。さらに、表示制御部２２は、主表示領域ＭＲに表示すべき画像と副表示領域ＳＲに表示すべき複数の画像との双方に関するリサイズ動作等をも制御する。
【００２８】
変更制御部３０は、各画像に関する様々な変更処理を施す処理部である。変更制御部３０は、回転処理部３１と変倍処理部３２と画像処理部３４とを有している。回転処理部３１は、画像の回転処理を実行する処理部であり、変倍処理部３２は、画像の変倍処理（拡大処理および縮小処理）を実行する処理部である。また、画像処理部（画質調整処理部）３４は、画像に対して色、コントラスト、および明るさ等に関する変更処理（画質調整処理）を施す処理部である。
【００２９】
画像メモリ５６は、画像データを一時的に記憶するための、高速アクセス可能な画像メモリであり、複数フレーム分の画像データを記憶可能な容量を有する。
【００３０】
＜３．再生動作＞
つぎに、図５を参照しながら、撮像装置１における再生動作について説明する。図５は、背面モニタ１２における再生画面（画像再生画面）Ｇ１の一例を示す図である。この再生画面Ｇ１は、モード設定ダイヤル８２の操作により撮像装置１のモードが「再生モード」に切り替えられること等に応じて、背面モニタ１２に表示される。
【００３１】
図５に示すように、背面モニタ１２の再生画面Ｇ１には、比較的大きな単一の主表示領域ＭＲと比較的小さな複数（ここでは３つ）の副表示領域ＳＲ（ＳＲ１〜ＳＲ３）とが設けられている。主表示領域ＭＲは背面モニタ１２内の上側に配置されており、副表示領域ＳＲ（ＳＲ１〜ＳＲ３）は、背面モニタ１２内の下側（したがって主表示領域ＭＲの下側）に水平方向に並べて配置されている。また、各副表示領域ＳＲ１〜ＳＲ３は、主表示領域ＭＲよりも小さな領域であり、例えば主表示領域ＭＲの約数分の１〜約十数分の１（例えば約１／４）の大きさ（面積）を有している。
【００３２】
各表示領域ＭＲ，ＳＲには、メモリカード９０から読み出された複数の画像が表示される。具体的には、３つの副表示領域ＳＲ１〜ＳＲ３には、所定の基準による順序（例えば撮影番号順）で並べられている複数の画像のうち、連続する３つの画像が表示される。また、３つの副表示領域ＳＲ１〜ＳＲ３のうちの一の副表示領域（詳細には中央の副表示領域ＳＲ２）に表示されている画像Ｐ２は、主表示領域ＭＲにも表示される。
【００３３】
詳細には、まず、読出部２１（図３）によって第ｎ画像Ｐ（ｎ）がメモリカード９０から画像メモリ５６へと読み出される。その後、表示制御部２２によって第ｎ画像Ｐ（ｎ）に関するリサイズ処理が施され、主表示領域ＭＲの大きさに応じた画素数を有する画像データＰＭと、副表示領域ＳＲ（ＳＲ２）の大きさに応じた画素数を有する画像データＰＳ（ＰＳ２）とが生成される。
【００３４】
また、読出部２１によって第（ｎ−１）画像Ｐ（ｎ−１）がメモリカード９０から画像メモリ５６へと読み出される。そして、表示制御部２２によって、第（ｎ−１）画像Ｐ（ｎ−１）に関するリサイズ処理が施され、副表示領域ＳＲ（ＳＲ１）の大きさに応じた画素数を有する画像データＰＳ（ＰＳ１）が生成される。
【００３５】
さらに、読出部２１によって第（ｎ＋１）画像Ｐ（ｎ＋１）がメモリカード９０から画像メモリ５６へと読み出される。そして、表示制御部２２によって、第（ｎ＋１）画像Ｐ（ｎ＋１）に関するリサイズ処理が施され、副表示領域ＳＲ（ＳＲ３）の大きさに応じた画素数を有する画像データＰＳ（ＰＳ３）が生成される。
【００３６】
そして、表示制御部２２によって、これらの画像データＰＭ、ＰＳ１〜ＰＳ３による背面モニタ１２での表示動作が実行される。具体的には、背面モニタ１２の副表示領域ＳＲ１〜ＳＲ３においては、画像データＰＳ１〜ＰＳ３を用いて比較的小さな画像（サブ画像（副画像）とも称する）が表示される。また、背面モニタ１２の主表示領域ＭＲにおいては、画像データＰＭを用いて比較的大きな画像（メイン画像（主画像）とも称する）が表示される。
【００３７】
また、図５に示すように、次述する回転操作前においては、主表示領域ＭＲが横長領域（縦よりも横が長い領域）に設定されているとともに、複数の副表示領域ＳＲが主表示領域ＭＲの下側に配置されている。なお、これに限定されず、複数の副表示領域ＳＲは主表示領域ＭＲの上側に配置されてもよい。
【００３８】
さらに、複数の副表示領域ＳＲ１，ＳＲ２，ＳＲ３は、図５に示すように横方向に並べて配置されている。
【００３９】
その後、このような状態においてメニューボタン８３Ａが押下されると、表示制御部２２によって、図６のようなメニュー画面ＧＭが画面Ｇ１（図５）に代えて背面モニタ１２に表示される。このメニュー画面ＧＭには、「回転」、「拡大・縮小」（変倍）、「削除」、「プロテクト」、「ＤＰＯＦ」、「明るさ変更」等を含む複数のメニュー項目が列挙されている。これらの複数のメニュー項目の中から、撮像装置１の操作者によって所望のメニュー項目が選択されると、当該選択項目に応じた所望の変更動作が実行される。
【００４０】
以下では、メニュー項目「回転」が選択された場合を例示する。
【００４１】
メニュー項目「回転」が選択されると、再び図５の画面Ｇ１に戻る。ただし、復帰後の画面Ｇ１においては、画像の回転処理が可能になる。
【００４２】
具体的には、回転処理の対象画像が副表示領域ＳＲ２と主表示領域ＭＲとの双方に表示されている状態において、操作者によって中央ボタン８４Ｃが１回押下されるごとに、対象画像が反時計回りに９０度ずつ回転する。
【００４３】
例えば中央ボタン８４Ｃが１回押下されて「回転指示」が入力されると、対象画像の表示方向を変更する旨が決定され、当該回転指示に応答して対象画像が９０度回転する。具体的には、図５においては横長に表示されていた画像Ｐ２（Ｐ（ｎ））が、図７に示すように縦長で表示される。この回転指示は、対象画像の表示方向（表示の向き）を横長方向（横向き）から縦長方向（縦向き）に変更する変更指示である、とも表現される。
【００４４】
詳細には、中央ボタン８４Ｃが１回押下されると、対象画像の主表示領域ＭＲへの表示用の画像データＰＭに対して、９０度の回転処理（「表示方向の変更処理」とも表現される）が施される。具体的には、画像データＰＭは、当該対象画像の表示方向が横長方向から縦長方向に変更された状態を表現するデータとして更新（生成）される。
【００４５】
また、同じ対象画像に関する副表示領域ＳＲ２への表示用の画像データＰＳ２に対しても、同じ回転角度（９０度）の回転処理が施される。具体的には、画像データＰＳ２は、当該対象画像の表示方向が横長方向から縦長方向に変更された状態を表現するデータとして更新（生成）される。
【００４６】
また、この実施形態においては、「回転指示」に応じて、背面モニタ１２における表示レイアウトも変更される。変更後の表示レイアウトにおいては、図７に示すように、主表示領域ＭＲが横長領域（図５参照）から縦長領域（横よりも縦が長い領域）に変更される。なお、図５の横長領域の主表示領域ＭＲと、図７の縦長領域の主表示領域ＭＲとは、略同一面積を有している。すなわち、図５の横長領域の主表示領域ＭＲを９０度回転させると、図７の縦長領域の主表示領域ＭＲになる。また、変更後の表示レイアウトにおいては、複数の副表示領域ＳＲが主表示領域ＭＲの横（詳細には右側）に配置される。また、回転指示後においては、複数の副表示領域ＳＲ１，ＳＲ２，ＳＲ３は、図７に示すように縦方向に並べて配置される。
【００４７】
そして、回転処理後の画像データＰＭを用いて対象画像Ｐ（ｎ）が主表示領域ＭＲにおいて縦向きに（縦長方向で）表示されるとともに、回転処理後の画像データＰＳ２を用いて、対象画像Ｐ（ｎ）が副表示領域ＳＲ２において縦向きに（縦長方向で）表示される。また、副表示領域ＳＲ１には別の画像Ｐ（ｎ−１）が横向きに（横長方向で）表示され、副表示領域ＳＲ３には更に別の画像Ｐ（ｎ＋１）が横向きに（横長方向で）表示される。副表示領域ＳＲ１，ＳＲ３は、横長領域に設定されている。
【００４８】
このようにして、主表示領域ＭＲにおける対象画像の表示方向が横長方向から縦長方向に変更（設定）され、主表示領域ＭＲが縦長領域に設定された状態において、当該対象画像が、（縦長領域の）主表示領域ＭＲに表示される。また、同様に、副表示領域ＳＲ２における対象画像の表示方向も横長方向から縦長方向に変更（設定）され、副表示領域ＳＲ２が縦長領域に設定された状態において、（縦長領域の）副表示領域ＳＲ２に当該対象画像（サブ画像ないし小画像とも表現される）が表示される。
【００４９】
なお、主表示領域ＭＲにおける対象画像の表示方向が縦長方向から横長方向に変更（設定）される場合には、図５に示すような表示レイアウトが採用される。すなわち、主表示領域ＭＲが横長領域に設定されるとともに、当該対象画像が、（横長領域の）主表示領域ＭＲに横向きに表示される。また、複数の副表示領域ＳＲが主表示領域ＭＲの下側に配置される。さらに、副表示領域ＳＲ２における対象画像の表示方向も縦長方向から横長方向に変更（設定）され、副表示領域ＳＲ２が横長領域に設定されるとともに、当該対象画像（サブ画像ないし小画像とも表現される）が、（横長領域の）副表示領域ＳＲ２に横向きに表示される。
【００５０】
さて、図８は比較例を示す図である。図７と図８とを参照して、上記実施形態とこの比較例とを比較する。
【００５１】
図８においては、表示レイアウトは変更されず、図５と同様の横長の主表示領域ＭＲにおいて、比較的短い縦方向の長さに画像Ｐ２（Ｐ（ｎ））の長辺の長さを合わせて当該画像Ｐ２が縦長で表示されている。そのため、主表示領域ＭＲにおいて画像Ｐ２が比較的小さく表示されてしまう。このことは、主表示領域ＭＲにおいて画像Ｐ２の横（詳細には画像Ｐ２の左側および右側）に余白領域ＢＫが発生することからも判る。
【００５２】
これに対して、この実施形態においては、回転指示に応じて図７に示すように表示レイアウト自体が変更され、主表示領域ＭＲが縦長領域に変更（設定）される。また、主表示領域ＭＲは、変更の前後で略同一の大きさ（面積）を維持している。したがって、主表示領域ＭＲの全体にわたって表示される画像Ｐ２は、（図８と比べて）比較的大きく表示される。換言すれば、画像Ｐ２が主表示領域ＭＲにおいて見易く表示される。
【００５３】
また、この実施形態においては、回転指示に応じて、図７に示すように副表示領域ＳＲ２が縦長領域に変更（設定）される。また、副表示領域ＳＲ２は、変更の前後で略同一の大きさ（面積）を維持している。したがって、画像Ｐ２が副表示領域ＳＲ２において（図８と比べて）比較的大きく表示される。換言すれば、画像Ｐ２が副表示領域ＳＲ２において見易く表示される。
【００５４】
なお、これに限定されず、図９に示すように、副表示領域ＳＲ２を他の副表示領域ＳＲ１，ＳＲ３と同様に「横長領域」に設定するようにしてもよい。すなわち、主表示領域ＭＲのみを縦長領域に設定するようにしてもよい。ただし、図７に示すように、主表示領域ＭＲだけでなく副表示領域ＳＲ２をも縦長領域に設定することが好ましい。これによれば、副表示領域ＳＲにおいてもサブ画像としての画像Ｐ２を比較的大きく表示することが可能である。
【００５５】
また、副表示領域ＳＲの数は、３つに限定されない。例えば、図１０に示すように４つであってもよく、あるいは、それ以上であってもよい。
【００５６】
また、上記実施形態においては、副表示領域ＳＲ２には主表示領域ＭＲと同様に回転後の縦長画像が表示される場合を例示したが、これに限定されない。例えば、図１１に示すように、主表示領域ＭＲには回転後の画像を縦長方向に表示する一方で、副表示領域ＳＲ２を横長領域に設定したまま当該副表示領域ＳＲ２に回転前の画像を横長方向に表示するようにしてもよい。端的に言えば、主表示領域ＭＲにおいてのみ回転後の画像を縦長方向に表示するようにしてもよい。
【００５７】
さらに、図１２に示すように、複数の副表示領域ＳＲが主表示領域ＭＲの横に配置される際において、複数の副表示領域ＳＲ１，ＳＲ２，ＳＲ３は横方向に並べて配置されてもよい。これによれば、副表示領域ＳＲ１，ＳＲ２，ＳＲ３の配置方向を引き続き横方向に設定することが可能である（図５および図１２参照）ため、表示レイアウト（特に副表示領域ＳＲに関する配置）に継続性を持たせることができる。図１２に示すように、背面モニタ１２の横長の度合いが大きい場合（例えば、縦横比が９対１６であるワイド画面を背面モニタ１２として用いる場合等）には、縦長領域の主表示領域ＭＲの右横には比較的大きな余白領域が生じるため、このような表示レイアウトを用いることが特に有用である。
【００５８】
＜４．その他＞
以上、この発明の実施の形態について説明したが、この発明は上記説明した内容のものに限定されるものではない。
【００５９】
たとえば、上記実施形態においては、表示制御部２２は、背面モニタ１２における表示内容を制御して、複数の副表示領域ＳＲ１〜ＳＲ３のうちの「中央」の副表示領域ＳＲ２に表示される画像Ｐ２を主表示領域ＭＲにも表示させているが、これに限定されない。具体的には、複数の副表示領域ＳＲ１〜ＳＲ３のうちの「最も左側」の副表示領域ＳＲ１（図５）に表示される画像Ｐ１（Ｐ（ｎ−１））を主表示領域ＭＲにも表示するようにしてもよい。また、表示レイアウト変更後においては、最も上側の副表示領域ＳＲ１（図７）に表示される画像Ｐ１を主表示領域ＭＲにも表示すればよい。
【００６０】
また、上記実施形態等においては、或る条件が充足されること（具体的には、回転指示が入力されたこと）に応じて、主表示領域ＭＲが縦長領域に設定される場合を例示したが、これに限定されない。別の条件が充足されることを条件に、主表示領域ＭＲ等が縦長領域に設定されるようにしてもよい。すなわち、各種の所定条件の充足に応じて、主表示領域ＭＲが横長領域から縦長領域に変更されるようにしてもよい。また同様に、各種の所定条件の充足に応じて、副表示領域ＳＲが横長領域から縦長領域に変更されるようにしてもよい。
【００６１】
例えば、主表示領域ＭＲに表示されるべき画像Ｐ２（Ｐ（ｎ））が「縦長画像」（縦姿勢の撮像装置で撮影された画像等）である旨の条件が充足される場合に、主表示領域ＭＲが縦長領域に変更されるようにしてもよい。対象画像（撮影画像）Ｐ２が「縦長画像」であるか否かは、撮影画像に関する撮影情報（例えば、撮影画像データ（ＥＸＩＦ形式等）の付加情報）内に当該撮影画像が「縦長画像」である旨が記録されているか否かに応じて、撮像装置１により自動的に判定されればよい。詳細には、撮像装置１が、メモリカード９０内の撮影画像データから撮影情報を読み出して取得し、当該撮影情報に基づいて当該事項を判定すればよい。
【００６２】
そして、撮像装置１は、画像Ｐ２が「縦長画像」であると判定される場合に、主表示領域ＭＲを縦長領域に変更するとともに、画像Ｐ２を「横向き」から「縦向き」に回転して当該変更後の主表示領域ＭＲに表示すればよい。この際には、例えば図７のような表示レイアウト（主表示領域ＭＲを縦長領域とするもの）が採用されればよい。より詳細には、撮像装置１のモードが「再生モード」に切り替えられた時点において、画像Ｐ２が縦長画像であると判定される場合に、図５のような表示ではなく、図７のような表示が直ちに行われればよい。また、その後に、複数の副表示領域ＳＲに関するスクロール操作に応じて中央の副表示領域ＳＲ２での表示対象になった画像が「縦長画像」であると判定される場合に、図７のような表示を行うようにしてもよい。
【００６３】
なお、画像Ｐ２が横長画像であると判定される場合には、図５のような表示が行われればよい。
【００６４】
また、上記実施形態等においては、主表示領域ＭＲは、回転（変更）の前後で略同一の大きさ（面積）を維持している場合を例示したが、これに限定されない。例えば、回転後の主表示領域ＭＲの面積が回転前の主表示領域ＭＲの面積より小さくなったとしても、回転後の主表示領域ＭＲの縦方向の長さが回転前の主表示領域ＭＲの縦方向の長さよりも大きければよい。これによれば、図８のような表示態様よりも見易い画像Ｐ２を、回転後の主表示領域ＭＲに表示することが可能である。
【００６５】
また、副表示領域ＳＲ２についても同様であり、副表示領域ＳＲ２は回転（変更）の前後で略同一の大きさ（面積）を維持していなくてもよい。例えば、回転後の副表示領域ＳＲ２の面積が回転前の副表示領域ＳＲ２の面積よりも小さくなったとしても、回転後の副表示領域ＳＲ２の縦方向の長さが回転前の副表示領域ＳＲ２の縦方向の長さよりも大きければよい。これによれば、図８のような表示態様よりも見易い画像Ｐ２を、回転後の副表示領域ＳＲ２に表示することが可能である。
【００６６】
また、上記実施形態等においては、撮像装置１の表示部（背面モニタ１２）において画像を表示する画像表示技術に本発明の思想を適用する場合を例示したが、これに限定されない。
【００６７】
例えば、撮像装置１によって取得された撮影画像を、パーソナルコンピュータ等のコンピュータの表示部に表示する場合に本発明の思想を適用するようにしてもよい。具体的には、パーソナルコンピュータのＣＰＵ等を用いて上記の機能を実現するプログラムを実行し、撮像装置１によって取得された撮影画像を上記の画面Ｇ１と同様の画面に表示するようにしてもよい。
【００６８】
また、表示対象の画像は撮影画像に限定されず、様々な種類の画像を表示対象にするようにしてもよい。
【００６９】
さらには、撮像機能を有しない画像再生専用装置等において、各種の画像を表示する際に上記の思想を適用するようにしてもよい。
【符号の説明】
【００７０】
１  撮像装置（画像表示装置）
１２  背面モニタ
８３Ａ  メニューボタン
８４  方向選択キー
Ｇ１  再生画面
ＧＭ  メニュー画面
ＭＲ  主表示領域
ＳＲ，ＳＲ１〜ＳＲ３  副表示領域
【図１】
2014041368.tif 000003
【図２】
2014041368.tif 000004
【図３】
2014041368.tif 000005
【図４】
2014041368.tif 000006
【図５】
2014041368.tif 000007
【図６】
2014041368.tif 000008
【図７】
2014041368.tif 000009
【図８】
2014041368.tif 000010
【図９】
2014041368.tif 000011
【図１０】
2014041368.tif 000012
【図１１】
2014041368.tif 000013
【図１２】
2014041368.tif 000014